(57)【要約】【課題】ホスト端末装置からネットワークを介して画像形成装置にジョブを実行させる場合、セキュリティを維持しかつログイン処理が１回で済むようにしつつ、認可情報に従って画像形成装置で使用される機能を制限する。【解決手段】ホスト端末装置５へのログインユーザがディレクトリサービスでユーザ認証に成功した後に、ユーザマネージャサーバ装置３は、ジョブチケットとログインユーザに適用される認可情報とをホスト端末装置５へ送信し、ホスト端末装置５は、そのジョブチケットとその認可情報とを取得し、その認可情報に適合するジョブ実行命令のみを生成し、生成したジョブ実行命令をそのジョブチケットとともに複合機１Ａへ送信する。複合機１Ａは、ホスト端末装置５からジョブ実行命令を受信すると、ジョブ実行命令とともに受信したジョブチケットが有効である場合のみ、ジョブ実行命令により指定されたジョブを実行する。【選択図】  図１
2011114538.tif 000002
【特許請求の範囲】
【請求項１】
ネットワークに接続された画像形成装置と、
前記ネットワークに接続され、グループまたはユーザに対して画像形成装置において使用が許可される機能を特定する認可情報を提供するユーザマネージャサーバ装置と、
ディレクトリサービスを提供しドメイングループおよびドメインユーザの登録情報を有するディレクトリサーバ装置と、
前記ネットワークを介して画像形成装置にジョブを実行させるホスト端末装置とを備え、
前記ユーザマネージャサーバ装置は、前記ホスト端末装置へのログインユーザが前記ディレクトリサービスでユーザ認証に成功した後に、前記画像形成装置でのジョブ実行の許可を示すジョブチケットと前記ログインユーザに適用される認可情報とを前記ホスト端末装置へ送信し、
前記ホスト端末装置は、当該ホスト端末装置へのログインユーザが前記ディレクトリサービスでユーザ認証に成功した後に、前記ユーザマネージャサーバ装置から、前記ジョブチケットと前記ログインユーザに適用される前記認可情報とを取得し、取得した前記認可情報に適合するジョブ実行命令のみを生成し、生成した前記ジョブ実行命令を前記ジョブチケットとともに前記画像形成装置へ送信し、
前記画像形成装置は、前記ホスト端末装置から前記ジョブ実行命令を受信すると、前記ジョブ実行命令とともに受信した前記ジョブチケットが有効である場合のみ、前記ジョブ実行命令により指定されたジョブを実行すること、
を特徴とする画像形成システム。
【請求項２】
ネットワークを介して画像形成装置にジョブを実行させるホスト端末装置にインストールされるドライバプログラムにおいて、
前記ホスト端末装置内のコンピュータを、
グループまたはユーザに対して前記画像形成装置において使用が許可される機能を特定する認可情報を提供するユーザマネージャサーバ装置から、前記ホスト端末装置へのログインユーザがディレクトリサービスでユーザ認証に成功した後に、その画像形成装置でのジョブ実行の許可を示すジョブチケットと前記ログインユーザに適用される前記認可情報とを取得するチケット処理部、並びに
前記認可情報に適合するジョブ実行命令のみを生成し、生成した前記ジョブ実行命令を前記ジョブチケットとともに前記画像形成装置へ送信しジョブを実行させるジョブ処理部
として機能させることを特徴とするドライバプログラム。
【請求項３】
前記チケット処理部は、前記ジョブチケットとして、ユーザ認証済みの前記ログインユーザに固有なジョブチケットを取得することを特徴とする請求項２記載のドライバプログラム。
【請求項４】
前記チケット処理部は、実行すべきジョブが発生するたびに、前記ジョブチケットを取得することを特徴とする請求項２または請求項３記載のドライバプログラム。
【請求項５】
前記ジョブ処理部は、前記画像形成装置での前記ログインユーザの認証のために、前記ログインユーザのパスワードを送付せずに、前記ジョブチケットを送付することを特徴とする請求項２から請求項４のうちのいずれか１項記載のドライバプログラム。
【発明の詳細な説明】
【技術分野】
【０００１】
本発明は、画像形成システムおよびドライバプログラムに関するものである。
【背景技術】
【０００２】
近年、ネットワークシステムにおけるユーザや機器を管理するために、アクティブディレクトリ、ｅディレクトリなどといったディレクトリサービスが導入されている。プリンタ、コピー機、複合機などの画像形成装置にはネットワーク機能を有しているものがあり、現在、そのようなディレクトリサービスでユーザやグループ（部門）の管理を行うことができる。ディレクトリサービスでユーザ管理を行う場合、通常、画像形成装置に対してログイン操作を行ったユーザのユーザ認証が、ディレクトリサービスのサーバ装置で行われる。
【０００３】
他方、画像形成装置において、各種機能のうち、ログインユーザに許可された機能のみが使用可能とする認可処理が行われることがある。通常、認可処理では、各ユーザについて、使用が許可される機能（または使用が禁止される機能）を指定する認可情報が画像形成装置に予め設定されており、その認可情報に従って、ログインユーザが使用する機能が制限される。また、ユーザごとの認可情報を有する中間サーバ装置を使用して、ログインユーザの認可情報を画像形成装置に提供するシステムもある（例えば特許文献１参照）。
【先行技術文献】
【特許文献】
【０００４】
【特許文献１】特開２００８−１４００６７号公報
【発明の概要】
【発明が解決しようとする課題】
【０００５】
上述のシステムにおいては、ジョブを実行するユーザについての認可情報を画像形成装置が中間サーバ装置へ照会する。このため、ホスト端末装置からネットワークを介して画像形成装置にジョブを実行させる場合、ユーザが画像形成装置にログインしていなければユーザを特定できないため、認可情報を取得することが困難である。したがって、ホスト端末装置からネットワークを介して画像形成装置にジョブを実行させる場合、ホスト端末装置から画像形成装置へユーザ認証情報（パスワードなど）を送信して画像形成装置にログインしている必要がある。
【０００６】
しかしながら、そのようなユーザ認証情報（パスワードなど）をネットワークを介して送信することはセキュリティ上好ましくない。また、上述のシステムにおいては、最初に中間サーバ装置にログインする必要があるため、中間サーバ装置と画像形成装置の両方に合計２回のログインが必要になる。
【０００７】
本発明は、上記の問題に鑑みてなされたものであり、ホスト端末装置からネットワークを介して画像形成装置にジョブを実行させる場合、セキュリティを維持しかつログイン処理が１回で済むようにしつつ、認可情報に従って画像形成装置で使用される機能を制限することができる画像形成システムおよびドライバプログラムを得ることを目的とする。
【課題を解決するための手段】
【０００８】
上記の課題を解決するために、本発明では以下のようにした。
【０００９】
本発明に係る画像形成システムは、ネットワークに接続された画像形成装置と、ネットワークに接続され、グループまたはユーザに対して画像形成装置において使用が許可される機能を特定する認可情報を提供するユーザマネージャサーバ装置と、ディレクトリサービスを提供しドメイングループおよびドメインユーザの登録情報を有するディレクトリサーバ装置と、ネットワークを介して画像形成装置にジョブを実行させるホスト端末装置とを備える。そして、ユーザマネージャサーバ装置は、ホスト端末装置へのログインユーザがディレクトリサービスでユーザ認証に成功した後に、画像形成装置でのジョブ実行の許可を示すジョブチケットをホスト端末装置へ送信する。また、ホスト端末装置は、当該ホスト端末装置へのログインユーザがディレクトリサービスでユーザ認証に成功した後に、ユーザマネージャサーバ装置から、そのジョブチケットとログインユーザに適用される認可情報とを取得し、取得した認可情報に適合するジョブ実行命令のみを生成し、生成したジョブ実行命令をそのジョブチケットとともに画像形成装置へ送信する。また、画像形成装置は、ホスト端末装置からジョブ実行命令を受信すると、ジョブ実行命令とともに受信したジョブチケットが有効である場合のみ、ジョブ実行命令により指定されたジョブを実行する。
【００１０】
このようにジョブチケットを使用することで、画像形成装置においてログイン処理を行う必要がないため、ユーザ認証情報を画像形成装置に送信せず、かつディレクトリサービスへの１回のログインで済む。したがって、これにより、ホスト端末装置からネットワークを介して画像形成装置にジョブを実行させる場合、セキュリティを維持しかつログイン処理が１回で済むようにしつつ、認可情報に従って画像形成装置で使用される機能を制限することができる。
【００１１】
本発明に係るドライバプログラムは、ネットワークを介して画像形成装置にジョブを実行させるホスト端末装置にインストールされるドライバプログラムであり、ホスト端末装置内のコンピュータを、グループまたはユーザに対して画像形成装置において使用が許可される機能を特定する認可情報を提供するユーザマネージャサーバ装置から、ホスト端末装置へのログインユーザがディレクトリサービスでユーザ認証に成功した後に、その画像形成装置でのジョブ実行の許可を示すジョブチケットとログインユーザに適用される認可情報とを取得するチケット処理部、並びにその認可情報に適合するジョブ実行命令のみを生成し、生成したジョブ実行命令をそのジョブチケットとともに画像形成装置へ送信しジョブを実行させるジョブ処理部として機能させる。
【００１２】
このようにジョブチケットを使用することで、画像形成装置においてログイン処理を行う必要がないため、ユーザ認証情報を画像形成装置に送信せず、かつディレクトリサービスへの１回のログインで済む。したがって、これにより、ホスト端末装置からネットワークを介して画像形成装置にジョブを実行させる場合、セキュリティを維持しかつログイン処理が１回で済むようにしつつ、認可情報に従って画像形成装置で使用される機能を制限することができる。
【００１３】
また、本発明に係るドライバプログラムは、上記のドライバプログラムに加え、次のようにしてもよい。この場合、チケット処理部は、ジョブチケットとして、ユーザ認証済みのログインユーザに固有なジョブチケットを取得する。
【００１４】
これにより、ユーザごとに異なるジョブチケットが発行されるため、ログインユーザに対して、正しい認可情報が適用される。
【００１５】
また、本発明に係るドライバプログラムは、上記のドライバプログラムのいずれかに加え、次のようにしてもよい。この場合、チケット処理部は、実行すべきジョブが発生するたびに、そのジョブチケットを取得する。
【００１６】
これにより、ジョブごとに異なるジョブチケットが発行されるため、１つのジョブチケットを複数のジョブに不正に使用することを防止することができる。
【００１７】
また、本発明に係るドライバプログラムは、上記のドライバプログラムのいずれかに加え、次のようにしてもよい。この場合、ジョブ処理部は、画像形成装置でのログインユーザの認証のために、ログインユーザのパスワードを送付せずに、ジョブチケットを送付する。
【発明の効果】
【００１８】
本発明によれば、ホスト端末装置からネットワークを介して画像形成装置にジョブを実行させる場合、セキュリティを維持しかつログイン処理が１回で済むようにしつつ、認可情報に従って画像形成装置で使用される機能を制限することができる。
【図面の簡単な説明】
【００１９】
【図１】図１は、本発明の実施の形態に係る画像形成システムの構成を示すブロック図である。
【図２】図２は、図１における複合機の構成を示すブロック図である。
【図３】図３は、図１におけるユーザマネージャサーバ装置の構成を示すブロック図である。
【図４】図４は、図３における認可ポリシーデータの構成例を示す図である。
【図５】図５は、図１におけるディレクトリサーバ装置の構成を示すブロック図である。
【図６】図６は、図１におけるホスト端末装置の構成を示すブロック図である。
【図７】図７は、図１に示すシステムにおいて、複合機へユーザがログインしたときの各装置の動作について説明するシーケンス図である。
【図８】図８は、図１に示すシステムにおいて、ホスト端末装置から複合機にジョブを実行させるための処理について説明するシーケンス図である。
【発明を実施するための形態】
【００２０】
以下、図に基づいて本発明の実施の形態を説明する。
【００２１】
実施の形態１．
【００２２】
図１は、本発明の実施の形態に係る画像形成システムの構成を示すブロック図である。図１に示すシステムでは、複数の複合機１Ａ，１Ｂがネットワーク２に接続されており、さらに、そのネットワーク２にユーザマネージャサーバ装置３、ディレクトリサーバ装置４、およびホスト端末装置５が接続されている。
【００２３】
複合機１Ａは、プリンタ機能、スキャナ機能、コピー機能、ファクシミリ機能などを備え、複合機１Ａ上の操作パネル、ネットワーク２に接続されたホスト端末装置５などからの指令に従って上述の機能で各種ジョブを実行する画像形成装置である。複合機１Ｂも同様の装置である。
【００２４】
ユーザマネージャサーバ装置３は、複合機１Ａ，１Ｂからのユーザ認証要求の受け付け、および複合機１Ａ，１Ｂへのログインユーザについての認可情報の提供を行うサーバ装置である。また、ディレクトリサーバ装置４は、アクティブディレクトリ、ｅディレクトリなどのディレクトリサービスを提供するサーバ装置である。
【００２５】
図２は、図１における複合機１Ａの構成を示すブロック図である。なお、複合機１Ｂも同様の構成を有する。複合機１Ａは、操作パネル２１、モデム２２、ネットワークインタフェース２３、プリンタ２４、スキャナ２５および制御装置２６を有する。
【００２６】
操作パネル２１は、複合機１Ａの筐体に設置され、ユーザに各種情報を表示する表示装置２１ａおよびユーザ操作を受け付ける入力装置２１ｂを有する。表示装置２１ａは、例えば、液晶ディスプレイ、各種インジケータなどである。入力装置２１ｂは、例えば、タッチパネル、キースイッチなどである。
【００２７】
また、モデム２２は、公衆交換電話網（ＰＳＴＮ）などの加入電話回線ネットワークに接続可能であり、ファクシミリデータの送受を行う通信装置である。
【００２８】
また、ネットワークインタフェース２３は、有線または無線のコンピュータネットワーク２に接続可能であり、ネットワーク２に接続されている他の装置（サーバ装置３、ホスト端末装置５など）との間でデータ通信を行う装置である。
【００２９】
また、プリンタ２４は、印刷要求に従って用紙に印刷を行い印刷物を排出する内部装置である。電子写真方式の場合、プリンタ２４は、感光体ドラムを帯電させた後、印刷データに基づいて光源を発光させることにより、感光体ドラム表面に静電潜像を形成し、この静電潜像をトナーで現像し、トナー画像を用紙に転写し定着し、その用紙を印刷物として排出する。
【００３０】
また、スキャナ２５は、自動原稿給紙装置により給紙されてきた原稿またはユーザにより載置された原稿の片面または両面に対して光を照射しその反射光等を受光して原稿の画像を読み取り画像データとして出力する内部装置である。
【００３１】
また、制御装置２６は、複合機１Ａにおける各部を制御するとともに、データ処理を行う装置である。制御装置２６は、例えばＣＰＵ（Central Processing Unit）、ＲＯＭ（Read Only Memory）、ＲＡＭ（Random Access Memory）などを有するコンピュータとして構成される。制御装置２６において、ＣＰＵが、ＲＯＭや他の記憶装置（フラッシュメモリなど）に記憶されているプログラムをＲＡＭにロードして実行することで各種処理部を実現する。この制御装置２６では、ＦＡＸ通信部３１、ネットワーク通信部３２、制御部３３、および判定部３４が実現される。
【００３２】
ＦＡＸ通信部３１は、モデム２２を制御し、ファクシミリデータを受信する処理部である。ＦＡＸ通信部３１は、ファクシミリデータを受信すると、印刷要求を印刷制御部３４に供給する。
【００３３】
ネットワーク通信部３２は、ネットワークインタフェース２３を制御し、各種通信プロトコルでネットワーク２上の装置との間でデータ通信を行う処理部である。例えば、ネットワーク通信部３２は、ユーザログイン時に操作パネル２１に入力されたユーザ名（ユーザＩＤ）およびパスワードをユーザマネージャサーバ装置３へ送信し、ユーザマネージャサーバ装置３からログインユーザの認可情報を受信する。また、例えば、ネットワーク通信部３２は、ホストコンピュータから印刷要求（ＰＤＬ（Page Description Language）データなど）を受信し、その印刷要求を制御部３３に供給する。
【００３４】
制御部３３は、操作パネル２１へのユーザ操作によるジョブ要求、またはネットワークインタフェース２３およびネットワーク通信部３２によりホスト端末装置５から受信されたジョブ実行命令を受け付け、複合機１Ａ内の各部を制御して、そのジョブ要求に対応するジョブを実行する処理部である。ジョブ実行命令としては、印刷要求、スキャン要求、ファクシミリ送信要求などがある。また、制御部３３は、操作パネル２１に対するログイン操作があると、ネットワーク通信部３２を使用して、ユーザ認証、認可情報などをユーザマネージャサーバ装置３に要求する。また、制御部３３は、ホスト端末装置５からジョブ実行命令を受信すると、そのジョブ実行命令とともに受信したジョブチケットが有効であるか否かを判定し、そのジョブチケットが有効である場合のみ、そのジョブ実行命令により指定されたジョブ（印刷、スキャン、ファクシミリ送信など）を実行する。なお、ジョブチケットは、複合機１Ａ，１Ｂでのジョブ実行の許可を示すデータである（後述）。
【００３５】
例えば、制御部３３は、ジョブ実行命令とともにユーザ名（ユーザＩＤ）を受信し、そのユーザ名（ユーザＩＤ）とそのジョブチケットをユーザマネージャサーバ装置３に送信し、ユーザマネージャサーバ装置３に、そのユーザ名に対してそのジョブチケットが発行されたものであるか否かを検証させ、ユーザマネージャサーバ装置３からその検証結果を受信し、その検証結果に基づいてそのジョブチケットが有効であるか否かを判定するようにしてもよい。また、制御部３３は、ジョブ実行命令とともにユーザ名（ユーザＩＤ）を受信し、所定の演算を行って、そのジョブチケットがそのユーザ名（ユーザＩＤ）のユーザに発行されたものか否かを判定するようにしてもよい。例えば、ジョブチケットが、ユーザ名（ユーザＩＤ）を変数とした所定の関数（ハッシュ関数、暗号関数など）の値である場合、受信したユーザ名（ユーザＩＤ）から得られる同一関数の値が、受信されたジョブチケットと一致する場合には、そのジョブチケットがそのユーザ名（ユーザＩＤ）のユーザに発行されたものであると判定するようにしてもよい。
【００３６】
判定部３４は、ネットワークインタフェース２３およびネットワーク通信部３２により、ユーザマネージャサーバ装置３から受信された、ログインユーザについての認可情報に基づいて、この複合機１Ａの有する機能のうち、ログインユーザによる使用を禁止する機能（または許可する機能）を特定し、各機能について使用を許可するか否かを示すデータを例えばＲＡＭ上に保持する処理部である。制御部３３は、そのデータを参照して、ログインユーザによる複合機１Ａの使用を制限する。例えば、ログインユーザに対してカラーコピー機能の使用が制限される場合、操作パネル２１において、カラーコピーが選択できないようにコピー機能のメニューが表示される（例えば、モノクロ／カラーのうちのカラーの選択ボタンがグレイアウトされる）。
【００３７】
このように、複合機１Ａ，１Ｂは構成される。
【００３８】
図３は、図１におけるユーザマネージャサーバ装置３の構成を示すブロック図である。ユーザマネージャサーバ装置３は、記憶装置４１、ネットワークインタフェース４２、および演算処理装置４３を有する。
【００３９】
記憶装置４１は、プログラムやデータを記憶する装置である。記憶装置４１には、不揮発性半導体メモリ、ハードディスクドライブなどが使用される。記憶装置４１には、認可ポリシーデータ５１、ローカルユーザデータ５２およびローカルグループデータ５３が記憶されている。
【００４０】
認可ポリシーデータ５１は、複合機１Ａ，１Ｂのログインユーザによる使用が許可される機能を特定するために使用される認可情報を含むデータである。認可ポリシーデータ５１には、ユーザについての認可情報と、グループについての認可情報とを含むことができる。ユーザについての認可情報は、そのユーザに対して適用される認可情報であり、グループについての認可情報は、そのグループに属するユーザに対して適用される認可情報である。また、認可ポリシーデータ５１には、ユーザについての認可情報として、ディレクトリサーバ装置４に登録されているドメインユーザについての認可情報と、このユーザマネージャサーバ装置３に登録されているローカルユーザについての認可情報とを含めることができる。また、認可ポリシーデータ５１には、グループについての認可情報として、ディレクトリサーバ装置４に登録されているドメイングループについての認可情報と、このユーザマネージャサーバ装置３に登録されているローカルグループについての認可情報とを含めることができる。ユーザについての認可情報は、ユーザＩＤ、およびそのユーザについて使用が許可（または禁止）される機能の情報（例えば機能のＩＤ）を含む。グループについての認可情報は、グループＩＤ、およびそのグループに属するユーザについて使用が許可（または禁止）される機能の情報（例えば機能のＩＤ）を含む。例えば、使用が許可（または禁止）される機能は、印刷、スキャン、コピー、ファクシミリ送信などの大項目の他、各大項目に付随する小項目（例えばカラー／モノクロ選択機能）を含む。
【００４１】
図４は、図３における認可ポリシーデータ５１の構成例を示す図である。
【００４２】
図４に示す認可ポリシーデータ５１では、ドメイングループＡは、ドメインユーザＡ，Ｂ，Ｃ，Ｄを含み、ローカルグループＡは、ローカルユーザＡ，ＢおよびドメインユーザＢ，Ｄを含む。そして、ドメイングループＡについて認可ポリシー＃１（認可情報を含むポリシーデータ）が設定されており、ドメイングループＡに属するドメインユーザＡについて認可ポリシー＃２が設定されており、ローカルグループＡについて認可ポリシー＃３が設定されており、ローカルグループＡに属するローカルユーザＡについて認可ポリシー＃４が設定されており、ドメイングループＡに属するドメインユーザＢについて認可ポリシー＃５が設定されており、ドメインユーザＥについて認可ポリシー＃６が設定されており、ローカルユーザＣについて認可ポリシー＃７が設定されている。
【００４３】
ローカルユーザデータ５２は、ローカルユーザの登録情報（ユーザＩＤおよびパスワード）を含むデータである。ローカルユーザは、ディレクトリサーバ装置４に登録されているドメインユーザとは別に、このユーザマネージャ装置３に登録されているユーザである。
【００４４】
ローカルグループデータ５３は、ローカルグループの登録情報（グループＩＤ、およびグループに属するユーザのユーザＩＤ）を含むデータである。ローカルグループは、ディレクトリサーバ装置４に登録されているドメインユーザとは別に、このユーザマネージャ装置３に登録されているグループである。ローカルグループには、ローカルユーザと、ドメインユーザとを含めることができる。つまり、ローカルユーザのみからなるローカルグループ、ドメインユーザのみからなるローカルグループ、およびローカルユーザおよびドメインユーザからなるローカルグループが設定可能である。
【００４５】
また、ネットワークインタフェース４２は、有線または無線のコンピュータネットワーク２に接続可能であり、ネットワーク２に接続されている他の装置（複合機１Ａ，１Ｂ、サーバ装置４など）との間でデータ通信を行う装置である。
【００４６】
また、演算処理装置４３は、ＣＰＵ、ＲＯＭ、ＲＡＭなどを有するコンピュータとして構成され、ＲＯＭまたは記憶装置４１に記憶されているプログラムをＲＡＭにロードし、ＣＰＵで実行することにより各種処理部を実現する。この演算処理装置４３では、ネットワーク通信部６１、ユーザ認証処理部６２、認可処理部６３、およびチケット発行処理部６４が実現される。
【００４７】
ネットワーク通信部６１は、ネットワークインタフェース４２を制御し、各種通信プロトコルでネットワーク２上の装置との間でデータ通信を行う処理部である。例えば、ネットワーク通信部６１は、ユーザ名（ユーザＩＤ）およびパスワードを複合機１Ａから受信し、そのユーザについての認可情報をその複合機１Ａへ送信する。また、例えば、ネットワーク通信部６１は、ユーザ認証要求をディレクトリサーバ装置４へ送信し、その認証結果およびユーザ情報をディレクトリサーバ装置４から受信する。
【００４８】
ユーザ認証処理部６２は、ネットワークインタフェース４２を使用して、複合機１Ａ，１Ｂのログインユーザの認証を、ディレクトリサーバ装置４で行う処理部である。
【００４９】
認可処理部６３は、ユーザ認証に成功した、複合機１Ａ（または複合機１Ｂ）のログインユーザがローカルグループに属する場合、そのローカルグループに対する認可情報を、認可ポリシーデータ５１から抽出して、そのログインユーザについての認可情報としてネットワークインタフェース４２を使用して複合機１Ａ（または複合機１Ｂ）へ送信し、ユーザ認証に成功したログインユーザがローカルグループに属さない場合、そのログインユーザの属するドメイングループまたはそのユーザ（ドメインユーザまたはローカルユーザ）に対する認可情報を、認可ポリシーデータ５１から抽出して、そのログインユーザについての認可情報としてネットワークインタフェース４２を使用して複合機１Ａ（または複合機１Ｂ）へ送信する処理部である。
【００５０】
例えば図４に示す認可ポリシーデータ５１の場合、ドメインユーザＡが複合機１Ａにログインすると、認可ポリシー＃２および認可ポリシー＃１が複合機１Ａに送信される。なお、ユーザおよびグループの認可ポリシー（ここでは認可ポリシー＃２および認可ポリシー＃１）において競合する認可設定がある場合には、グループまたはユーザのうちの所定の認可ポリシーの設定が適用される。また、その場合、ドメインユーザＢが複合機１Ａにログインすると、認可ポリシー＃５、認可ポリシー＃３および認可ポリシー＃１が複合機１Ａに送信される。なお、ドメイングループおよびローカルグループの認可ポリシー（ここでは認可ポリシー＃１および認可ポリシー＃３）において競合する認可設定がある場合には、ドメイングループまたはローカルユーザのうちの所定の認可ポリシーの設定が適用される。また、その場合、ドメインユーザＣが複合機１Ａにログインすると、認可ポリシー＃１が複合機１Ａに送信される。また、その場合、ドメインユーザＤが複合機１Ａにログインすると、認可ポリシー＃１および認可ポリシー＃３が複合機１Ａに送信される。また、その場合、ドメインユーザＥが複合機１Ａにログインすると、認可ポリシー＃６が複合機１Ａに送信される。また、その場合、ローカルユーザＡが複合機１Ａにログインすると、認可ポリシー＃４および認可ポリシー＃３が複合機１Ａに送信される。また、その場合、ローカルユーザＢが複合機１Ａにログインすると、認可ポリシー＃３が複合機１Ａに送信される。また、その場合、ローカルユーザＣが複合機１Ａにログインすると、認可ポリシー＃７が複合機１Ａに送信される。
【００５１】
なお、あるログインユーザに適用すべき認可ポリシーが複数ある場合、サーバ装置３において、認可処理部６３が、それらの認可ポリシーを結合して１つの認可ポリシーを生成し、その生成した認可ポリシーを送信するようにしてもよい。その場合、複数の認可ポリシーで競合する設定項目については、所定のルールに従って選択されるいずれかの認可ポリシーが適用される。
【００５２】
チケット発行処理部６４は、ホスト端末装置５へのログインユーザがディレクトリサービスでユーザ認証に成功した後に、ジョブチケットの発行要求をそのログインユーザが操作するホスト端末装置５から受信すると、ジョブチケットを生成し、そのジョブチケットと、そのログインユーザについて適用される認可情報をホスト端末装置５へ送信する処理部である。なお、ディレクトリサービスでユーザ認証に成功していないユーザからの発行要求は、拒否される。また、そのログインユーザについて適用される認可情報は、チケット発行処理部６４の代わりに認可処理部６３がホスト端末装置５へ送信するようにしてもよい。
【００５３】
例えば、チケット発行処理部６４は、所定の関数を使用して、ユーザ名（ユーザＩＤ）からユーザ固有のジョブチケットを生成する。また、例えば、チケット発行処理部６４は、所定の関数を使用して、ユーザ名（ユーザＩＤ）およびワンタイムデータ（使い捨て情報）からユーザ固有のジョブチケットを生成する。この所定の関数としては、例えばハッシュ関数が使用される。ワンタイムデータとしては、ジョブチケット発行ごとに変化する、シリアル番号、発行要求受信時またはジョブチケット生成時の日時などの情報が使用される。
【００５４】
なお、複合機１Ａ，１Ｂがジョブチケットの有効性をユーザマネージャサーバ装置３に問い合わせるシステムでは、チケット発行処理部６４は、生成したジョブチケットを、そのジョブチケットの発行先のユーザ名（ユーザＩＤ）と関連付けて記憶装置４１に保存しておき、問い合わせを受信したときに、問い合わせられたあるユーザのジョブチケットが記憶装置４１に保存されていれば、そのジョブチケットが有効であるという検証結果を複合機１Ａ，１Ｂへ応答するとともに、そのジョブチケットを記憶装置４１から削除するか無効とする。これにより、ユーザは、自己に発行されたジョブチケットを１度だけ、複合機１Ａ，１Ｂでのジョブ実行に使用できる。
【００５５】
このように、ユーザマネージャサーバ装置３は構成される。
【００５６】
図５は、図１におけるディレクトリサーバ装置４の構成を示すブロック図である。ディレクトリサーバ装置４は、記憶装置７１、ネットワークインタフェース７２、および演算処理装置７３を有する。
【００５７】
記憶装置７１は、プログラムやデータを記憶する装置である。記憶装置７１には、不揮発性半導体メモリ、ハードディスクドライブなどが使用される。記憶装置７１には、ディレクトリサービスのデータベース９１が構築されており、データベース９１には、ユーザデータ９１ａおよびグループデータ９１ｂが含まれる。ユーザデータ９１ａには、ユーザＩＤ、パスワード、およびユーザ情報（連絡先となる電話番号、ファクシミリ番号、電子メールアドレス、その他の属性情報）が含まれる。グループデータ９１ｂには、グループＩＤ、グループに属するユーザのユーザＩＤリストおよびグループ情報（連絡先、責任者、その他の属性情報）が含まれる。
【００５８】
ネットワークインタフェース７２は、有線または無線のコンピュータネットワーク２に接続可能であり、ネットワーク２に接続されている他の装置（サーバ装置３など）との間でデータ通信を行う装置である。
【００５９】
演算処理装置７３は、ＣＰＵ、ＲＯＭ、ＲＡＭなどを有するコンピュータとして構成され、ＲＯＭまたは記憶装置７１に記憶されているプログラムをＲＡＭにロードし、ＣＰＵで実行することにより各種処理部を実現する。この演算処理装置７３では、ネットワーク通信部８１、およびディレクトリサービス処理部８２が実現される。
【００６０】
ネットワーク通信部８１は、ネットワークインタフェース７２を制御し、各種通信プロトコルでネットワーク２上の装置との間でデータ通信を行う処理部である。例えば、ネットワーク通信部８１は、ユーザ認証要求を受信し、その認証結果およびユーザ情報を送信する。
【００６１】
ディレクトリサービス処理部８２は、ドメインユーザおよびドメイングループを管理する処理部である。  ディレクトリサービス処理部８２は、ドメインユーザおよびドメイングループの登録および削除、ユーザ認証、ドメインユーザのユーザ情報およびドメイングループのグループ情報の提供などを行う。ユーザ認証には、ＬＤＡＰ（Lightweight Directory Access Protocol）認証、ケルベロス認証などが使用される。ディレクトリサービスがアクティブディレクトリである場合、ディレクトリサービス処理部８２は、ドメインコントローラとして動作する。
【００６２】
このように、ディレクトリサーバ装置４は構成される。
【００６３】
図６は、図１におけるホスト端末装置５の構成を示すブロック図である。ホスト端末装置５は、記憶装置１０１、ネットワークインタフェース１０２、表示装置１０３、入力装置１０４、および演算処理装置１０５を有する。ホスト端末装置５は、例えば、オペレーティングシステム、ドライバプログラムなどの所定のプログラムをインストールされたパーソナルコンピュータである。
【００６４】
記憶装置１０１は、プログラムやデータを記憶する装置である。記憶装置１０１には、不揮発性半導体メモリ、ハードディスクドライブなどが使用される。記憶装置１０１には、ドライバプログラム１０１ａが記憶されている。
【００６５】
ネットワークインタフェース１０２は、有線または無線のコンピュータネットワーク２に接続可能であり、ネットワーク２に接続されている他の装置（複合機１Ａ，１Ｂ、サーバ装置３，４など）との間でデータ通信を行う装置である。
【００６６】
表示装置１０３は、例えば液晶ディスプレイなどといったユーザに対して各種情報を表示する装置である。入力装置１０４は、操作を受け付けて、ユーザ操作に応じた電気信号を演算処理装置１０５に出力する、例えばキーボード、マウスなどといった装置である。
【００６７】
演算処理装置１０５は、ＣＰＵ、ＲＯＭ、ＲＡＭなどを有するコンピュータとして構成され、ＲＯＭまたは記憶装置１０１に記憶されているプログラムをＲＡＭにロードし、ＣＰＵで実行することにより各種処理部を実現する。この演算処理装置１０５では、ウィンドウズ（登録商標）などのオペレーティングシステムにより、ネットワーク通信部１１１およびログイン処理部１１２が実現され、ドライバプログラム１０１ａにより、ドライバ１１３が実現される。このオペレーティングシステムは、ホスト端末装置５を、ディレクトリサーバ装置４によるディレクトリサービスに参加させることが可能なものである。
【００６８】
ネットワーク通信部１１１は、ネットワークインタフェース１０２を制御し、各種通信プロトコルでネットワーク２上の装置との間でデータ通信を行う処理部である。
【００６９】
ログイン処理部１１２は、ホスト端末装置５へのそのユーザについてディレクトリサーバ装置４でユーザ認証を行い、ユーザ認証に成功した管理者ユーザのみに、ログイン操作以降の操作を許可する処理部である。このとき、ホスト端末装置５のオペレーティングシステム起動時に、表示装置１０４に対してユーザ認証情報（パスワードなど）の入力を促すログイン画面を表示させ、入力装置１０５にユーザ認証情報が入力されると、その入力されたユーザ認証情報を特定し、ユーザ認証要求およびそのユーザ認証情報をディレクトリサーバ装置４へ送信し、ディレクトリサーバ装置４からのユーザ認証結果が認証成功を示している場合、表示画面をユーザ操作可能な画面（例えば、デスクトップ画面、コマンドプロンプトを有する画面など）に遷移させ、ログイン操作以降の操作（アプリケーション、ユーティリティ、ドライバなどの実行など）を可能とし、一方、ディレクトリサーバ装置４からのユーザ認証結果が認証失敗を示している場合、ログイン画面の表示を継続し、ログイン操作以降の操作を禁止する。
【００７０】
ドライバ１１３は、チケット処理部１２１およびジョブ処理部１２２を有する処理部である。チケット処理部１２１は、ホスト端末装置５へのログインユーザがディレクトリサービスでユーザ認証に成功した後に、ユーザマネージャサーバ装置３から、ジョブチケットと、そのログインユーザに適用される認可情報とを取得する処理部である。ジョブ処理部１２２は、チケット処理部１２１により取得された認可情報に適合するジョブ実行命令のみを生成し、生成したジョブ実行命令をジョブチケットとともに複合機１Ａ（または複合機１Ｂ）へ送信しジョブを実行させる処理部である。なお、ジョブ処理部１２２は、ジョブ実行命令とともに、必要に応じて、ユーザ名（ユーザＩＤ）を送信する。ただし、ジョブ処理部１２２は、ユーザ認証情報（つまり、ログインに必要なパスワードなどの秘匿情報）を複合機１Ａには送信しない。
【００７１】
このようにして、ホスト端末装置５が構成される。
【００７２】
次に、上記システムにおいて、複合機１Ａへユーザがログインしたときの各装置の動作について説明する。図７は、図１に示すシステムにおいて、複合機１Ａへユーザがログインしたときの各装置の動作について説明するシーケンス図である。なお、複合機１Ｂへユーザがログインしたときも同様に各装置が動作する。
【００７３】
複合機１Ａの操作パネル２１がユーザによるユーザ名（ユーザＩＤ）およびパスワードの入力操作を検出すると（ステップＳ１）、制御部３３は、そのユーザ名およびパスワードを、ネットワーク通信部３２およびネットワークインタフェース２３を使用してユーザマネージャサーバ装置３へ送信する（ステップＳ２）。
【００７４】
ユーザマネージャサーバ装置３では、ユーザ認証処理部６２が、ネットワーク通信部６１およびネットワークインタフェース４２を使用して、そのユーザ名およびパスワードを受信し、そのユーザ名およびパスワード並びに認証要求を所定のプロトコル（ＬＤＡＰ等）でディレクトリサーバ装置４に送信する（ステップＳ３）。
【００７５】
ディレクトリサーバ装置４では、ディレクトリサービス処理部８２が、ネットワーク通信部８１およびネットワークインタフェース７２を使用して、そのユーザ名およびパスワード並びに認証要求を所定のプロトコルで受信し、ディレクトリデータベース９１を参照して、そのユーザ名およびパスワードが正当なユーザのものであるか否かを判定する（ステップＳ４）。
【００７６】
そして、ディレクトリサービス処理部８２は、ネットワーク通信部８１およびネットワークインタフェース７２を使用して、その判定結果（つまり、認証結果）、および認証に成功した場合にはそのユーザのユーザ情報を、認証要求の応答として、ユーザマネージャサーバ装置３へ送信する（ステップＳ５）。
【００７７】
ユーザマネージャサーバ装置３では、ユーザ認証処理部６２が、ネットワーク通信部６１およびネットワークインタフェース４２を使用して、認証要求の応答としてその認証結果を受信し、認証に成功した場合には、併せてユーザ情報を受信する。そして、認証に成功した場合には、認可処理部６３は、認可ポリシーデータ５１を参照し、そのユーザの認可情報（つまり、そのユーザに適用される認可ポリシー）を特定し（ステップＳ６）、ネットワーク通信部６１およびネットワークインタフェース４２を使用して、その認可情報およびユーザ情報とともに、認証成功を示す応答を複合機１Ａへ送信する（ステップＳ７）。
【００７８】
複合機１Ａでは、制御部３３は、ネットワーク通信部３２およびネットワークインタフェース２３を使用して、その認可情報およびユーザ情報を受信し、その認可情報を判定部３４に提供する（ステップＳ８）。判定部３４は、その認可情報に基づいて、複合機１Ａの有する所定の機能のそれぞれについてそのユーザの使用が許可されるか否かを示すデータをＲＡＭ上に設定する。
【００７９】
その後、その認可情報に従って機能制限された状態で、ユーザに複合機１Ａの使用が許可される（ステップＳ９）。複合機１Ａでは、制御部３３は、判定部３４により設定された上述のデータを参照して、そのユーザに許可されている機能を使用するジョブのみを受け付けて実行する。
【００８０】
なお、ユーザ認証に失敗した場合には、認証失敗を示す応答のみがユーザマネージャサーバ装置３から複合機１Ａへ送信され、複合機１Ａは、認証失敗を示す応答を受信すると、認証失敗を示すメッセージを操作パネル２１に表示するとともに、そのユーザによる複合機１Ａの使用を禁止する。
【００８１】
次に、上記システムにおいて、ホスト端末装置５から複合機１Ａにジョブを実行させるための処理について説明する。図８は、図１に示すシステムにおいて、ホスト端末装置５から複合機１Ａにジョブを実行させるための処理について説明するシーケンス図である。なお、ホスト端末装置５から複合機１Ｂにジョブを実行させるための処理もこれと同様である。
【００８２】
まず、ホスト端末装置５が起動し、オペレーティングシステムが起動すると、ログイン処理部１１２は、ログイン画面を表示装置１０３に表示する。そして、ユーザが入力装置１０４を操作してログイン画面にユーザ名（ユーザＩＤ）およびパスワードを入力すると、ログイン処理部１１２は、その入力されたユーザ名（ユーザＩＤ）およびパスワードを特定し（ステップＳ２１）、ネットワーク通信部１１１およびネットワークインタフェース１０２を使用して、ネットワーク２を介してディレクトリサーバ装置４にアクセスし、ディレクトリサービスに基づき、そのユーザ名（ユーザＩＤ）およびパスワードについてのユーザ認証を要求する（ステップＳ２２）。ディレクトリサーバ装置４は、そのユーザ認証要求とともに受信したユーザ名（ユーザＩＤ）およびパスワードがディレクトリサービスに登録されているユーザのユーザ名（ユーザＩＤ）およびパスワードに一致するか否かを判定する。そして、ディレクトリサーバ装置４は、そのユーザ認証結果を、そのユーザ認証要求の応答としてホスト端末装置５へ送信する（ステップＳ２４）。
【００８３】
このとき、ユーザ認証に成功した場合、ディレクトリサービスにログインしたことになり、ディレクトリサービスに登録されているリソースであって、そのユーザにアクセスが許可されているものについてはアクセスが可能となる。なお、ユーザ認証に失敗した場合、ディレクトリサービスへのログインに失敗したことになり、ユーザは、再度のログイン操作以外の操作を行うことができない。
【００８４】
その後、ユーザ操作またはアプリケーションプログラムによる指示に従ってドライバプログラム１０１ａが実行され、ドライバ１１３のジョブ処理部１２２がユーザ操作などに基づくジョブ要求（例えば複合機１Ａでの印刷実行要求）の発生を検出すると（ステップＳ２５）、チケット処理部１２１は、ネットワーク２を介して、ジョブチケットの発行要求をユーザマネージャサーバ装置３へ送信する（ステップＳ２６）。ユーザマネージャサーバ装置３では、チケット発行処理部６４が、その発行要求を受信すると、その発行要求元のユーザがディレクトリサービスにログイン済みか否かをディレクトリサービスで検証し（ステップＳ２７）、その発行要求元のユーザがディレクトリサービスにログイン済みの場合のみ、そのユーザについてのジョブチケットを生成する（ステップＳ２８）。そして、チケット発行処理部６４は、ネットワーク２を介して、そのジョブチケットと、そのユーザに適用される認可情報（そのユーザに対する認可ポリシーおよび／またはそのユーザの属するグループに対する認可ポリシー）と、そのユーザのユーザ情報（電子メールアドレスなど）とを、発行要求に応答としてホスト端末装置５へ送信する（ステップＳ２９）。なお、その発行要求元のユーザがディレクトリサービスにログイン済みではない場合、チケット発行処理部６４は、ジョブチケットの発行を拒否し、ジョブチケットの発行失敗を示す応答を送信する。
【００８５】
そして、チケット処理部１２１が、そのジョブチケット、認可情報およびユーザ情報を受信すると、ＲＡＭなどに一時的に保存し、ジョブ処理部１２２は、ステップＳ２５でのジョブ要求に従って、認可情報による制限の範囲内で、ジョブ実行命令およびジョブデータを生成する（ステップＳ３０）。例えば、印刷ジョブが要求された場合において、認可情報でカラー印刷が禁止されておりモノクロ印刷が許可されているときには、モノクロ印刷のジョブ実行命令およびジョブデータは生成され得るが、カラー印刷のジョブ実行命令およびジョブデータは生成され得ない。つまり、ドライバ１１３は、認可情報に従って、ユーザに対してカラー印刷の実行を禁止する（例えば、ドライバ１１３の画面におけるカラー印刷およびモノクロ印刷の選択メニューのうち、カラー印刷の項目をグレイアウトして選択できないようにする）。
【００８６】
ジョブ処理部１２２は、生成したジョブ実行命令およびジョブデータをジョブチケットとともに複合機１Ａへネットワーク２を介して送信する（ステップＳ３１）。なお、印刷ジョブのジョブ実行命令の場合、ジョブデータとして、例えばＰＤＬ（Page Description Language）データが併せて送信されるが、スキャンのジョブ実行命令の場合、ジョブデータは送信されない。
【００８７】
複合機１Ａの制御部３３は、そのジョブ実行命令、ジョブデータおよびジョブチケットを受信すると、まず、例えばユーザマネージャサーバ装置３へ問い合わせて、そのジョブチケットの有効性を検証する（ステップＳ３２）。そのジョブチケットがそのユーザに対して正当に発行されたものである場合（つまり、ジョブチケットが有効である場合）には、制御部３３は、そのジョブ実行命令に従ってジョブを実行する（ステップＳ３３）。なお、ジョブチケットが有効ではない場合には、制御部３３は、ジョブ実行命令を拒否し、ジョブを実行しない。
【００８８】
そして、制御部３３は、ジョブの実行が完了すると、ネットワーク２を介して、実行結果をホスト端末装置５へ送信する（ステップＳ３４）。なお、印刷ジョブのジョブ実行命令の場合、実行結果は、正常にジョブが完了したか否かの情報を含み、スキャンのジョブ実行命令の場合、実行結果は、スキャンにより生成された画像データファイルを含む。ホスト端末装置５のジョブ処理部１２２は、ネットワーク２を介してその実行結果を受信し、ジョブの種別に応じて、その実行結果を表示したり、保存したりする。なお、ユーザマネージャサーバ装置３が各複合機１Ａ，１Ｂの実行ジョブのログを収集し集計する場合には、ここで実行されたジョブのログ（ユーザ名、ジョブ種別など）がユーザマネージャサーバ装置３へ送信される。
【００８９】
以上のように、上記実施の形態１によれば、ユーザマネージャサーバ装置３は、ホスト端末装置５へのログインユーザがディレクトリサービスでユーザ認証に成功した後に、ジョブチケットとそのログインユーザに適用される認可情報とをホスト端末装置５へ送信する。また、ホスト端末装置５は、当該ホスト端末装置５へのログインユーザがディレクトリサービスでユーザ認証に成功した後に、ユーザマネージャサーバ装置３から、そのジョブチケットとその認可情報とを取得し、取得した認可情報に適合するジョブ実行命令のみを生成し、生成したジョブ実行命令をそのジョブチケットとともに複合機１Ａ（または複合機１Ｂ）へ送信する。また、複合機１Ａ（または複合機１Ｂ）は、ホスト端末装置５からジョブ実行命令を受信すると、ジョブ実行命令とともに受信したジョブチケットが有効である場合のみ、ジョブ実行命令により指定されたジョブを実行する。
【００９０】
このようにジョブチケットを使用することで、ユーザ認証情報（ここではパスワード）を複合機１Ａに送信して複合機１Ａに対するログイン処理を行う必要がないため、ディレクトリサービスへの１回のログインで済む。したがって、これにより、ホスト端末装置５からネットワーク２を介して複合機１Ａにジョブを実行させる場合、セキュリティを維持しかつログイン処理が１回で済むようにしつつ、認可情報に従って複合機１Ａで使用される機能を制限することができる。
【００９１】
実施の形態２．
【００９２】
実施の形態２に係る画像形成システムでは、ログイン時にユーザがユーザ名を複合機１Ａに入力する代わりに、ユーザに割り当てられているＩＤカード（ここでは、ＩＣカード）を使用する。
【００９３】
実施の形態２では、複合機１ＡにＩＣカードリーダが接続されており、そのＩＣカードリーダにＩＤカードが近接されると、制御部３３がＩＣカードリーダを使用してＩＤカードからＩＤカードのカードＩＤを読み取り、実施の形態１と同様に入力されたパスワードとともに、ユーザマネージャサーバ装置３へ送信する。
【００９４】
実施の形態２では、ユーザマネージャサーバ装置３の記憶装置４１に、ＩＤカードのカードＩＤとそのＩＤカードを割り当てられたユーザのユーザＩＤとを関連付ける変換データが予め記憶されており、ユーザ認証処理部６２は、カードＩＤおよびパスワードを受信すると、変換データを参照して、そのカードＩＤに対応するユーザＩＤを特定し、特定したユーザＩＤと受信したパスワードに基づいてディレクトリサーバ装置４でユーザ認証を行う。
【００９５】
なお、実施の形態２に係るシステムにおける装置のその他の構成および動作については実施の形態の場合と同様であるので、その説明を省略する。
【００９６】
また、ここでは、ＩＤカードとしてＩＣカードを使用しているが、他の方式の記録媒体を備えるカード（磁気カードなど）を使用するようにしてもよい。その場合には、その方式のカードからカードＩＤを読み取り可能なリーダがＩＣカードリーダの代わりに使用される。さらに、ＩＤカードの代わりに、指紋などの生体情報を使用するようにしてもよい。その場合、その生体情報をユーザから取得可能なリーダがＩＣカードリーダの代わりに使用され、その生体情報から得られる特徴量がＩＤとして使用される。
【００９７】
実施の形態３．
【００９８】
実施の形態１では、ホスト端末装置５がディレクトリサーバ装置４へ直接アクセスしてユーザ認証を要求しているが、複合機１Ａ，１Ｂと同様にして、ユーザマネージャサーバ装置３へユーザ認証を要求し、ユーザマネージャサーバ装置３がディレクトリサーバ装置４でユーザ認証を行うようにしてもよい。
【００９９】
この場合において、実施の形態２と同様のリーダをホスト端末装置５に設け、ＩＤカードなどを使用して、ディレクトリサービスへのログインを行うようにしてもよい。その場合、実施の形態２と同様にしてユーザマネージャサーバ装置３は、ＩＤカードのカードＩＤからユーザＩＤ（ユーザ名）への変換を行う。
【０１００】
なお、上述の各実施の形態は、本発明の好適な例であるが、本発明は、これらに限定されるものではなく、本発明の要旨を逸脱しない範囲において、種々の変形、変更が可能である。
【０１０１】
例えば、上記各実施の形態では、ローカルユーザとドメインユーザが混在してローカルグループに含まれているが、ローカルユーザのみのローカルグループや、ドメインユーザのみのローカルグループがあってもよい。
【０１０２】
また、上記各実施の形態において、ユーザマネージャサーバ装置３を、ネットワーク２には接続せずにネットワーク２とは異なる別のネットワークに接続し、その別のネットワークおよびネットワーク２にディレクトリサーバ装置４に接続し、ユーザマネージャサーバ装置３とディレクトリサーバ装置４とはその別のネットワークを介してデータ通信を行うようにしてもよい。ただし、ホスト端末装置５が、必要なサーバ装置３および／またはサーバ装置４にアクセス可能なネットワーク構成とされる。
【０１０３】
また、上記各実施の形態では、画像形成装置として複合機１Ａ，１Ｂが使用されているが、その代わりに、プリンタ、コピー機などが使用されていてもよい。また、上記各実施の形態では、システムの画像形成装置は２台であるが、１台または３台以上の画像形成装置を使用することも可能である。
【０１０４】
また、上記各実施の形態において、認可情報に、複合機へのアクセス権限レベルを含めるようにしてもよい。例えば、アクセス権限レベルとして、管理者および一般ユーザのうちのいずれかが設定される。管理者の場合には、メンテナンスなど、一般ユーザが使用できない機能が使用可能となる。
【０１０５】
また、上記各実施の形態において、可搬性のある記録媒体にドライバプログラムを記録し、その記録媒体からホスト端末装置５へドライバプログラムをインストールするようにしてもよい。
【産業上の利用可能性】
【０１０６】
本発明は、例えば、複数の画像形成装置を有するネットワークシステムに適用可能である。
【符号の説明】
【０１０７】
１Ａ，１Ｂ  複合機（画像形成装置の一例）
２  ネットワーク
３  ユーザマネージャサーバ装置
４  ディレクトリサーバ装置
５  ホスト端末装置
１０１ａ  ドライバプログラム
１０５  演算処理装置（コンピュータの一例）
１２１  チケット処理部
１２２  ジョブ処理部
【図１】
2011114538.tif 000003
【図２】
2011114538.tif 000004
【図３】
2011114538.tif 000005
【図４】
2011114538.tif 000006
【図５】
2011114538.tif 000007
【図６】
2011114538.tif 000008
【図７】
2011114538.tif 000009
【図８】
2011114538.tif 000010